(57)【特許請求の範囲】
【請求項１】
表示部と、印刷部と、当該表示部の鉛直下に設けられた印刷用紙を格納する用紙格納部と、上記表示部の表示角度を変更する角度変更部と、を備えた商品販売登録装置において、
上記角度変更部は、
上記表示部の起点位置から上記用紙格納部への印刷用紙の格納が可能となる退避位置まで上記表示部を水平方向に回転させる広範囲回転部と、
上記起点位置を中心に、上記退避位置までの回転より狭い回転角度の範囲内で、上記表示部を水平方向に回転させる狭範囲回転部と、を備えることを特徴とする商品販売登録装置。
【請求項２】
上記広範囲回転部は、
当該広範囲回転部による上記表示部の回転を停止させる回転停止部と、当該回転停止部による回転の停止を解除する解除部と、を備えることを特徴とする請求項１に記載の商品販売登録装置。
【請求項３】
上記狭範囲回転部による上記表示部の回転の負荷が、上記広範囲回転部による上記表示部の回転の負荷よりも大きくなるよう、上記狭範囲回転部の回転の制動を付加する制動部を備えたことを特徴とする請求項１または２に記載の商品販売登録装置。
【請求項４】
上記広範囲回転部は、第１固定部と、当該第１固定部に対して回転を行う第１回転部とを備え、
上記狭範囲回転部は、上記第１固定部にて規定される範囲内で回転動作可能な第２固定部と、当該第２固定部に対して回転を行う第２回転部と、当該第２回転部に回転の制動を付加する制動部とを備えたことを特徴とする請求項１または２に記載の商品販売登録装置。
【請求項５】
上記広範囲回転部と上記狭範囲回転部とは、同じ中心軸周りの水平方向の回転を行うことを特徴とする、請求項１から４のいずれか１項に記載の商品販売登録装置。
【発明の詳細な説明】
【技術分野】
【０００１】
本発明は、ＰＯＳ（Point of sail system）端末装置等の商品販売登録装置に関するものである。
【背景技術】
【０００２】
従来、大型のＰＯＳ端末装置ではロール紙（印刷用紙）を格納（交換も含む）するのに問題はなかった。しかしながら、ＰＯＳ端末装置の本体部の小型化、及びモニターの大型化に伴い、例えば特許文献１に開示のＰＯＳ端末装置のように、ＰＯＳ端末装置の本体部に含まれるプリンターがモニターの垂直下部に配置されるケースが多くなっている。
【０００３】
このように本体部が小型化され、かつモニターが大型化されたＰＯＳ端末装置は、上部から見ると図１０（ａ）に示すように、また正面から見ると図１０（ｂ）に示すようにモニター２と本体部３とが配置されている。ここで、本体部３に含まれるプリンターの用紙格納部にロール紙を格納する際に、プリンターカバー４を開けようとすると、図１０（ｃ）に示すように、プリンターカバー４がその上部のモニター２に当たり、ロール紙の格納ができない。
【０００４】
そこで、これを回避するため、次の２つの構造が考えられている。まず１つ目は、図１０（ｄ）に示すように、モニター２を前方（あるいは後方）に倒し、プリンターカバー４の上方にスペースを確保する構造である。２つ目は、図１０（ｅ）に示すように、モニター２を水平方向に回転させてプリンターカバー４の上方にスペースを確保する構造である。
【先行技術文献】
【特許文献】
【０００５】
【特許文献１】特開平１１−２４６０９６号公報（１９９９年９月１４日公開）
【発明の概要】
【発明が解決しようとする課題】
【０００６】
しかしながら、上記１つ目の構造では、重量のあるモニター２を倒すため、バランスが崩れやすく、モニターの大型化に伴い、土台となる本体部３も大型化せざるを得ない。そのため、１つ目の構造は、本体部の小型化には適さない。
【０００７】
一方、２つ目の構造では、装置のバランスを崩すことなくプリンターカバー４上方のスペースを確保することが可能である。よって、小型化に適している。しかし、モニター２の回転範囲は、常に、プリンターカバー４の開閉に影響のない範囲、つまりプリンター用紙を格納するのに必要な範囲である。さらに、モニター２は、容易にロール紙の格納を行えるよう水平方向に回転しやすくなっている。そのため、用紙交換時以外にもモニターが容易に回転してしまい、使用者の意図しない角度で使われる可能性がある。よって、使用者以外（例えば、ＰＯＳ端末装置を設置している店の客等）に見せてはいけないモニターの画面を誤って提示してしまったり、わずかに触れただけでモニターが回ったりする等といった問題が発生する。
【０００８】
そこで、本発明は上記課題に鑑みなされたものであり、表示部（モニター）が大型化した場合でも、印刷用紙の格納または交換を容易に行え、かつ、用紙格納または交換時以外には表示部が不要に大きな角度で回転しない商品販売登録装置を提供することを目的としている。
【課題を解決するための手段】
【０００９】
本願発明者らは、上記目的を達成すべく、鋭意検討を行った結果、モニターを水平方向に２段階で回転させることにより、通常時（用紙格納または交換時以外）の不要な回転を防げることを見出し、本発明を行うに至った。
【００１０】
本発明に係る商品販売登録装置は、表示部と、印刷部と、当該表示部の鉛直下に設けられた印刷用紙を格納する用紙格納部と、上記表示部の表示角度を変更する角度変更部と、を備えた商品販売登録装置において、上記角度変更部は、上記表示部の起点位置から上記用紙格納部への印刷用紙の格納が可能となる退避位置まで上記表示部を水平方向に回転させる広範囲回転部と、上記起点位置を中心に、上記退避位置までの回転より狭い回転角度の範囲内で、上記表示部を水平方向に回転させる狭範囲回転部と、を備えることを特徴としている。
【００１１】
上記構成によると、角度変更部が、上記表示部の起点位置から上記用紙格納部への印刷用紙の格納が可能となる退避位置まで上記表示部を水平方向に回転させる広範囲回転部と、上記起点位置を中心に、上記退避位置までの回転より狭い回転角度の範囲内で、上記表示部を水平方向に回転させる狭範囲回転部とを備えているため、用紙格納または交換時には広範囲回転部により、用紙交換または格納時以外では、狭範囲回転部により表示部を水平方向に回転させることができる。
【００１２】
このように、角度変更部が広範囲回転部と狭範囲回転部とを有しているため、用紙交換または格納時以外で、例えば使用者の視認性を上げるために表示部の表示角度を調整する場合、狭範囲回転部を動作させることで調整ができる。狭範囲回転部により、表示部は、退避位置までの回転より狭い回転角度で回転し、退避位置までの広範囲では回転しない。よって、狭範囲回転部による回転範囲を、起点位置にある表示部の正面に位置する使用者以外には表示部の画面が見えない範囲とすることで、使用者以外に見せてはいけない表示部の画面を誤って提示してしまうことを防げる。また、使用者の意図しない角度で使われる可能性を減らすことができる。
【００１３】
よって、上記構成によると、用紙交換または格納時以外に、表示部が退避位置までの大きな角度で不要に回転することを防ぐことができる。また用紙格納または交換時には、広範囲回転部により、表示部を、用紙格納部への印刷用紙の格納または交換が可能となる退避位置まで水平方向に回転させることで、用紙格納または交換を容易に行うことができる。
【００１４】
本発明に係る商品販売登録装置では、上記構成に加え、上記広範囲回転部は、当該広範囲回転部による上記表示部の回転を停止させる回転停止部と、当該回転停止部による回転の停止を解除する解除部と、を備えていてもよい。
【００１５】
上記構成によると、広範囲回転部による表示部の回転は、回転停止部による回転の停止を解除しなければ行われない。よって、用紙格納または交換時以外には、回転停止部により、広範囲回転部による表示部の回転を停止させておくことで、用紙格納または交換時以外には、表示部は退避位置まで回転移動しない。よって、より確実に、用紙格納または交換時以外の、表示部の退避位置までの不要な回転を防ぐことができる。
【００１６】
本発明に係る商品販売登録装置では、上記構成に加え、上記狭範囲回転部による上記表示部の回転の負荷が、上記広範囲回転部による上記表示部の回転の負荷よりも大きくなるよう、上記狭範囲回転部の回転の制動を付加する制動部を備えてもよい。
【００１７】
上記構成によると、広範囲回転部による表示部の回転の負荷は、狭範囲回転部による表示部の回転の負荷よりも小さいので、用紙格納または交換時には、狭範囲回転部により表示部が回転することなく、広範囲回転部でのみ表示部を回転させることができる。また、広範囲回転部による回転の負荷が小さいことで、容易に退避位置まで表示部を回転移動させることができる。
【００１８】
一方で、使用者の視認性を上げるための表示部の角度調整は、一旦表示角度を決めると容易に表示部が動かないのが好ましい。つまり、わずかに触れただけで表示部の角度が変わっては、頻繁に調整しなければならなく、使用勝手が悪いからである。そこで、上記構成によると、制動部により、狭範囲回転部による表示部の回転の付加は、広範囲回転部による表示部の回転の負荷より大きくなるので、わずかな触れでは狭範囲回転部による表示部の回転は起こらない。そのため、使用者の視認性を上げるための表示部の角度調整を行う上で上記構成は好適である。
【００１９】
本発明に係る商品販売登録装置は、上記構成に加え、上記広範囲回転部は、第１固定部と、当該第１固定部に対して回転を行う第１回転部とを備え、上記狭範囲回転部は、上記第１固定部に固定される第２固定部と、第２固定部に対して回転を行う第２回転部と、当該第２回転部に回転の制動を付加する制動部とを備えていてもよい。
【００２０】
上記構成によると、簡易な構成で広範囲回転部と狭範囲回転部とを構成できる。また、制動部が第２回転部の回転の制動を付加するので、用紙格納または交換時には、狭範囲回転部により表示部が回転することなく、広範囲回転部でのみ表示部を回転させることができる。また、制動部により、わずかな触れでは狭範囲回転部による表示部の回転は起こらないため、狭範囲回転部を用いた表示部の角度調整（例えば、使用者の視認性を上げるための調整）を好適に行える。
【００２１】
本発明に係る商品販売登録装置は、上記構成に加え、上記広範囲回転部と上記狭範囲回転部とは、同じ中心軸周りの水平方向の回転を行ってもよい。
【００２２】
上記構成によると、上記広範囲回転部と上記狭範囲回転部とが、同じ中心軸周りの水平方向の回転を行うと、それぞれ異なる軸周りの回転を行う構成より、角度変更部をコンパクトに形成することができる。
【発明の効果】
【００２３】
本発明に係る商品販売登録装置は、以上のように、上記角度変更部は、上記表示部の起点位置から上記用紙格納部への印刷用紙の格納が可能となる退避位置まで上記表示部を水平方向に回転させる広範囲回転部と、上記起点位置を中心に、上記退避位置までの回転より狭い回転角度の範囲内で、上記表示部を水平方向に回転させる狭範囲回転部と、を備えている。
【００２４】
上記構成によると、用紙格納または交換時には広範囲回転部により、用紙交換または格納時以外では、狭範囲回転部により表示部を水平方向に回転させることができる。
【００２５】
このように、角度変更部が広範囲回転部と狭範囲回転部とを有しているため、用紙交換または格納時以外で、例えば使用者の視認性を上げるために表示部の表示角度を調整する場合、狭範囲回転部を動作させることで調整ができる。狭範囲回転部により、表示部は、退避位置までの回転より狭い回転角度で回転し、退避位置までの広範囲では回転しない。よって、狭範囲回転部による回転範囲を、起点位置にある表示部の正面に位置する使用者以外には表示部の画面が見えない範囲とすることで、使用者以外に見せてはいけない表示部の画面を誤って提示してしまうことを防げる。また、使用者の意図しない角度で使われ
る可能性を減らすことができる。
【００２６】
よって、上記構成によると、用紙交換または格納時以外に、表示部が退避位置までの大きな角度で不要に回転することを防ぐことができる。また用紙格納または交換時には、広範囲回転部により、表示部を、用紙格納部への印刷用紙の格納または交換が可能となる退避位置まで水平方向に回転させることで、用紙格納または交換を容易に行うことができる。
【図面の簡単な説明】
【００２７】
【図１】本実施形態のＰＯＳ端末装置を示す図であり、（ａ−１）及び（ａ−２）は、モニターを水平方向に回転させていない場合の正面図及び上面図であり、（ｂ−１）及び（ｂ−２）は、モニター２を水平方向右に１５°回転させた場合の正面図及び上面図であり、（ｃ−１）及び（ｃ−２）は、モニターを水平方向左に１５°回転させた場合の正面図及び上面図であり、（ｄ−１）及び（ｄ−２）は、モニター２を水平方向右に９０°回転させた場合の正面図及び上面図である。
【図２】本実施形態のＰＯＳ端末装置の斜視図である。
【図３】本実施形態のＰＯＳ端末装置の角度変更部が備える狭範囲回転ユニットを示す構成図である。
【図４】（ａ）は、狭範囲回転ユニットの上面図、（ｂ）は、（ａ）のＡＡ’矢視断面図、（ｃ）は、（ａ）のＢＢ’矢視断面図、（ｄ）は、狭範囲回転ユニットの下面図である。
【図５】（ａ）はモニターに接続した狭範囲回転ユニットの側面図、（ｂ）は、モニターに接続した狭範囲回転ユニットの背面図、（ｃ）は、モニター及び狭範囲回転ユニットの背面からの斜視図である。
【図６】本実施形態のＰＯＳ端末装置が備える角度変更部を示す構成図である。
【図７】（ａ）は、広範囲回転ユニットの上面図、（ｂ）は、（ａ）のＣＣ’矢視断面図、（ｃ）及び（ｄ）は、広範囲回転ユニットの下面図である。
【図８】（ａ）は、ロックされている場合の広範囲回転用ベースアングルの上面図、（ｂ）は、（ａ）のＤＤ’矢視断面図、（ｃ）は、ロックされている場合の広範囲回転用ベースアングルの下面図である。
【図９】（ａ）は、ロックが解除された場合の広範囲回転用ベースアングルの上面図、（ｂ）は、（ａ）のＥＥ’矢視断面図、（ｃ）は、ロックが解除された場合の広範囲回転用ベースアングルの下面図である。
【図１０】従来のＰＯＳ装置を示す図であり、（ａ）は上面図、（ｂ）は正面図、（ｃ）は用紙交換における不具合を示す図、（ｄ）はモニターを前方に倒した際の側面、（ｅ）はモニターを水平方向に９０°回転させた際の上面図である。
【発明を実施するための形態】
【００２８】
以下、本発明に係る商品販売登録装置の実施の一形態としてＰＯＳ端末装置について、図１〜９を参照して説明する。なお、以下に記述する実施の形態は、本発明の具体的な一例に過ぎず、本発明はこれによって何ら限定されるものではない。
【００２９】
〔ＰＯＳ端末装置〕
図１及び２に本実施形態のＰＯＳ端末装置１の構成を示す。図１及び２からわかるように、ＰＯＳ端末装置１は、モニター（表示部）２と、モニター鉛直下に設けられた本体部３とを備えている。
【００３０】
本体部３は、ロール紙（印刷用紙）に印字を行うプリンター（印刷部）、ロール紙を格納するロール紙格納部（用紙格納部）、この各種の入力キーから成るキーボード、レシートを排出するレシート排出口、現金格納部、さらに、ＰＯＳ端末装置１における各動作を
制御する制御部、各種のプログラム等を格納するメモリ、等が設けられている。本体部３には、従来公知の構成を用いることができ、各構成およびそれらが行う各処理についての説明は割愛する。
【００３１】
モニター２は、ＰＯＳ端末装置１での各種処理における表示を行う。また、タッチパネルとして設けられていてもよい。
【００３２】
本体部３に含まれるロール紙格納部の上部は、プリンターカバー４で覆われており、プリンターカバー４を上方向に開けてロール紙の格納または交換が行われる。
【００３３】
モニター２は角度変更部６を介して本体部３と接続している。角度変更部６は、モニターの表示角度を変更させるものである。ここで、本実施形態では、モニター２の正面と本体部３の正面が平行になる場合を、モニター２が起点位置にあると称し、モニター２が起点位置にある場合のモニターの角度を、０°とする。モニター角度０°の場合、プリンターカバー４の真上にモニター２があり、プリンターカバー４は開かない。また、モニター２を正面にして水平方向右に回転する場合とプラスの回転とし、水平方向左に回転する場合とマイナスの回転とする。本実施形態では、モニター角度９０°になると、プリンターカバー４は開くようになる。このモニター角度９０°の位置を退避位置と称する。
【００３４】
角度変更部６は、モニター２を、後述するように、通常使用時（ロール紙の格納または交換時以外）には、起点位置を中心に、水平方向に−１５°〜１５°回転させる。かつ、ロール紙の格納または交換時には、水平方向に起点位置（モニター角度０°）からロール格納部へのロール紙の格納が可能となる退避位置（モニター角度９０°）まで回転させる。これら回転角度は、単なる一例でありここの記載の数値に限定されるものではない。ただし、ロール紙の格納または交換時には、ロール紙の交換または格納が可能な位置にモニター２を移動させる角度、回転させる必要がある。
【００３５】
ここで、図１（ａ−１）は、モニター２を水平方向に回転させていない場合（モニター角度０°）のＰＯＳ端末装置１の正面図であり、図１（ａ−２）は、その上面図である。同様に、図１（ｂ−１）は、モニター２を水平方向右に１５°（モニター角度１５°）回転させた場合の正面図であり、図１（ｂ−２）は、その上面図である。図１（ｃ−１）は、モニターを水平方向左に１５°（モニター角度−１５°）回転させた場合の正面図であり、図１（ｃ−２）は、その上面図である。また、図１（ｄ−１）は、モニター２を水平方向右に９０°（モニター角度９０°）回転させた場合の正面図であり、図１（ｄ−２）は、その上面図である。
【００３６】
モニター角度９０°である退避位置では、図１（ｄ−１）及び（ｄ−２）に示すように、モニター２の画面は、プリンターカバー４とは反対側を向くように配置される。よって、モニター２の画面を不用意に損傷させることなくロール紙の格納または交換を行うことができる。
【００３７】
角度変更部６は、ロール紙をロール紙格納部に格納または交換するために、モニター２の水平方向の回転方式を採用する。そして、通常使用時には使用者（例えば、ＰＯＳ端末装置１を置いている店の店員）が好みの角度にモニター２を調整できるような範囲内（モニター角度−１５°〜１５°）にて回転可能で、かつ、ロール紙を格納または交換するときのみモニター２を起点位置（モニター角度０°）から退避位置（モニター角度９０°）回転させてプリンターカバー４の開閉が可能な構成となっている。
【００３８】
そのため、角度変更部６は、通常使用時の角度（−１５°〜１５°）の範囲で水平方向に回転する狭範囲回転ユニット５と、ロール紙を交換するのに必要な角度（０度〜９０度
）の範囲で水平方向に回転する広範囲回転ユニット７とを有している。
【００３９】
さらに、詳細は後述するが、通常使用時は狭範囲回転ユニット５のみ動作し、広範囲回転ユニット７はロックされており動作しない。広範囲回転ユニット７のロック機構は図２に示すように、本体部３の前面にあるロック解除用ボタン（解除部）１０を押すことで、ロックが解除されるようになっている。ロール紙を格納または交換する場合、このロック解除用ボタン１０を押すことでモニター２が起点位置（０°）から水平方向に９０度回転するようになる。またロック解除用ボタン１０はばねの力で元の位置に戻るようになっており、モニター２を起点位置に戻すと広範囲回転ユニット７は自動的にロックされる。
【００４０】
また、詳細は後述するが、狭範囲回転ユニット５と広範囲回転ユニット７とでは、摩擦力が異なっており、広範囲回転ユニット７の方が摩擦力を小さくすることで、狭範囲回転ユニット５が動作することなく、広範囲回転ユニット７のみ動作させることができる。
【００４１】
〔狭範囲回転ユニット〕
図３に示すように、狭範囲回転ユニット５は、狭範囲回転用天面アングル５１、狭範囲回転用ベースアングル（第２固定部）５２、回転アングル（第２回転部）５３の３つのアングルを備えている。これらは、ＳＥＣＣ等の金属を用いて作製できる。
【００４２】
回転アングル５３には、ピン５４とスプリング（板ばね、制動部）５５とがリベット接合されている。回転アングル５３が、狭範囲回転用天面アングル５１と狭範囲回転用ベースアングルとで挟み込まれた構造である。狭範囲回転ユニット５は、ユニット固定用ビス５０により固定されて、その断面は、図４（ｃ）に示されるものとなる。
【００４３】
図４（ａ）に示すように、狭範囲回転用天面アングル５１にはモニター２の水平方向に回転可能な範囲（−１５°〜１５°）でスリット（穴）５１０があいている。このスリット５１０に回転アングル５３のピン５４が差し込まれて、ピン５４がこのスリット５１０の大きさの範囲でのみ動作可能な構造となっている。つまり、スリット５１０がモニター２の回転量を決定する。回転アングル５３は狭範囲回転用ベースアングル５２の中で回転する。
【００４４】
また、モニター２を回転させる際に操作荷重を与えるため、回転アングル５３にスプリング５５が取り付けられている。スプリング５５が狭範囲回転用天面アングル５１と狭範囲回転用ベースアングル５２との間で圧縮され、その摩擦力で操作荷重を与える。
【００４５】
ピン５４とスプリング５５とは回転アングル５３にリベット接合されている。図４（ｂ）に示すように、スプリング５５のリベット接合の凸部５５ａは狭範囲回転用天面アングル５１側、一方、ピン５４のリベット接合の凸部５４ａは狭範囲回転用ベースアングル５２側に現れる。そのため、ピン５４のリベットの凸部５４ａと狭範囲回転用ベースアングル５２とが接触してしまう構造となる。しかし、リベットの凸部の高さを安定させることは非常に難しく、結果としてスプリング５５の圧縮量（回転アングル５３と狭範囲回転用天面アングル５１との隙間）がばらつき、安定した荷重がえられない。そこで、ピン５４のリベットの凸部５４ａと狭範囲回転用ベースアングル５２との接触を避けるよう、図４（ｄ）に示すように、狭範囲回転用ベースアングル５２にスリット５２０を開け、狭範囲回転用ベースアングル５２と回転アングル５３とが直接接触する構造とする。
【００４６】
図５（ａ）〜（ｃ）に示すように、モニター２は、狭範囲回転ユニット５のピン５４に、ヒンジ６０、ヒンジ支持アングル６１を介して連結されている。よって、モニター２の回転は狭範囲回転ユニット５と動作を連動する。また、狭範囲回転ユニット５の水平角度と、モニター２の水平角度は常に一致する。
【００４７】
〔広範囲回転ユニット〕
広範囲回転ユニット７は、図６に示すように、広範囲回転用天面アングル７１、広範囲回転用ベースアングル（第１固定部）７２、ベースキャビ（第１回転部）７３を備えている。
【００４８】
ベースキャビ７３は、外装を兼ねており、樹脂等を用いて作製できる。また、広範囲回転用天面アングル７１、広範囲回転用ベースアングル７２は、ＳＵＳ３０４等の金属を用いて作製できる。
【００４９】
狭範囲回転ユニット５はベースキャビ７３に挿入され、広範囲回転ユニット７と狭範囲回転ユニット５とから、モニター２の角度変更部６が形成される。図７（ａ）に示すように、ベースキャビ７３の中心と狭範囲回転ユニット５の中心が常に一致しており、この中心を軸としてモニター２が回転することができる構造である。広範囲回転ユニット７と狭範囲回転ユニット５とは、同じ中心軸周りの水平方向の回転を行う。
【００５０】
回転時の摩擦でベースキャビ７３が磨耗しないよう、図７（ｂ）に示すように、狭範囲回転ユニット５の天面と底面とは、広範囲回転用天面アングル７１と広範囲回転用ベースアングル７２とに挟み込まれて固定されている。
【００５１】
図７（ｃ）及び（ｄ）に示すように、広範囲回転用ベースアングル７２には、回転範囲を規制するための当たり７６Ａ，７６Ｂが設けられている。この当たり７６Ａ，７６Ｂにより、図７（ｃ）及び（ｄ）に示すように、狭範囲回転ユニット５の狭範囲回転用ベースアングル５２にもうけた回転用突起５２ａが、広範囲回転用ベースアングル７２の当たり７６Ａ，７６Ｂの範囲内（０°〜９０°）で回転動作することが可能な構造となっている。
【００５２】
広範囲回転ユニット７は、容易に回転できるように負荷を低くするため、狭範囲回転ユニット５で用いられるようなスプリングは用いず、広範囲回転用ベースアングル７２と広範囲回転用天面アングル７１との摩擦力でのみ負荷を発生させ、狭範囲回転ユニット５よりも低負荷（低荷重）で回転可能である。
【００５３】
よって、モニター２を９０度回転するときは、狭範囲回転ユニット５は作動することなく、広範囲回転ユニット７が回転し、それと連動してモニター２の角度が変わる。
【００５４】
広範囲回転ユニット７の回転の負荷は、狭範囲回転ユニット５の負荷よりも低く（小さく）することによる利点は、次の通りである。ロール紙の格納または交換時には、狭範囲回転ユニット５によりモニター２が回転することなく、広範囲回転ユニット７でのみモニター２を回転させることができる。また、広範囲回転ユニット７による回転の負荷が小さいことで、容易に退避位置までモニター２を回転移動させることができる。
【００５５】
一方で、使用者の視認性を上げるためのモニター２の角度調整は、一旦表示角度を決めると容易にモニター２が動かないのが好ましい。つまり、わずかに触れただけでモニター２の角度が変わっては、頻繁に調整しなければならなく、使用勝手が悪いからである。そこで、狭範囲回転ユニット５のスプリング５５により、狭範囲回転部による表示部の回転の付加は、広範囲回転部による表示部の回転の負荷より大きくなり、わずかな触れでは狭範囲回転ユニット５によるモニター２の回転は起こらない。そのため、使用者の視認性を上げるための表示部の角度調整を行う上でも好適である。
【００５６】
用紙格納または交換時以外には、モニターが規定角度(−１５°〜１５°)以上動かない
よう、広範囲回転ユニット７はロックされている。次にこのロック構造を説明する。
【００５７】
ロック構造は、図７に示すように、広範囲回転用ベースアングル７２とレバーアングル７４とで構成されており、レバーアングル７４には広範囲回転ユニット７の回転を止める回り止め用突起（回転停止部）７４ａが設けられている。レバーアングル７４は、広範囲回転用ベースアングル７２のガイド７２ａに沿って一方向にスライドすることが可能な構造で、一定以上、スライドすれば、回り止め用突起７４ａが外れ、広範囲回転ユニット７の回転が可能となる。一方、このレバーアングル７４には広範囲回転用スプリング７５が取り付けられている。図８（ｃ）に示すように、この広範囲回転用スプリング７５によって荷重がかかっており、通常はロックする方向で引っ張られた状態が維持されており、ロックを解除しない限り、９０度回転はしない構造である。なお、図８（ａ）は、ロックされている場合の、狭範囲回転用ベースアングル５２と広範囲回転用ベースアングル７２とを上から下に見た図であり、図８（ｂ）は、図８（ａ）のＤＤ’矢視断面図である。また、図８（ｃ）は、ロックされている場合の、レバーアングル７４と広範囲回転用ベースアングル７２とを下から上に見た図である。
【００５８】
図６に示すように、レバーアングル７４の端部には、ロック解除用ボタン１０が取り付けられている。なお、ロック解除用ボタン１０は、図２に示すように、ＰＯＳ端末装置１外部に露出して設けられている。
【００５９】
ロック解除用ボタン１０を押す方向に力が加わると、広範囲回転用スプリング７５を伸ばす方向に力が加わり、レバーアングルがスライドして、図９（ｃ）に示すように、ロックが解除される。その状態で、回転方向に少し動かすと回り止め用突起７４ａを乗り越え、ロック解除用ボタン１０を離しても、広範囲回転ユニット７の９０度回転が可能となる。なお、図９（ａ）は、ロックが解除されている場合の、狭範囲回転用ベースアングル５２と広範囲回転用ベースアングル７２とを上から下に見た図であり、図９（ｂ）は、図９（ａ）のＥＥ’矢視断面図である。また、図９（ｃ）は、ロックが解除されている場合の、レバーアングル７４と広範囲回転用ベースアングル７２とを下から上に見た図である。
【００６０】
広範囲回転ユニット７の９０度回転により、モニター２を退避位置に移動させ、ロール紙を交換または格納し、モニター２を元の起点位置（モニター角度０°）に戻すと、広範囲回転用スプリング７５の力でレバーアングル７４が元の位置に戻され、再びロックされる。
【００６１】
以上のように、本実施形態のＰＯＳ端末装置１では、モニター２の角度変更部６が、モニター２の起点位置（モニター角度０°）からロール紙格納部へのロール紙の格納が可能となる退避位置（モニター角度９０°）までモニター２を水平方向に回転させる広範囲回転ユニット７と、モニター２の起点位置を中心に、退避位置までの回転より狭い回転角度の範囲内（モニター角度−１５°〜１５°）で、モニター２を水平方向に回転させる狭範囲回転ユニット５とを備えている。そのため、ロール紙の格納または交換時には広範囲回転ユニット７により、ロール紙の交換または格納時以外では、狭範囲回転ユニット５により表示部を水平方向に回転させることができる。
【００６２】
このように、角度変更部６が広範囲回転ユニット７と狭範囲回転ユニット５とを有しているため、ロール紙の交換または格納時以外で、例えば使用者の視認性を上げるために表示部の表示角度を調整する場合、狭範囲回転ユニット５を動作させることで調整ができる。狭範囲回転ユニット５により、モニター２は、退避位置までの回転より狭い回転角度（−１５°〜１５°）で回転し、退避位置までの広範囲（９０°）では回転しない。よって、ＰＯＳ端末装置１の使用者以外に見せてはいけないモニター２の画面を誤って提示してしまうことを防げる。また、使用者の意図しない角度で使われる可能性を減らすことがで
きる。
【００６３】
よって、本実施形態のＰＯＳ端末装置１では、ロール紙の交換または格納時以外に、モニター２が退避位置までの大きな角度で不要に回転することを防ぐことができる。またロール紙の格納または交換時には、広範囲回転ユニット７により、モニター２を、退避位置まで水平方向に回転させることで、ロール紙の格納または交換を容易に行うことができる。
【００６４】
また、広範囲回転ユニット７は、上記のように、通常、その回転が停止するようロックされており、ロック解除用ボタン１０により、回転の停止が解除されるようになっている。そのため、９０°回転をするためには、ロック解除用ボタン１０により回転の停止を解除しなければならない。よって、用紙格納または交換時以外には、広範囲回転ユニット７によるモニター２の回転を停止させておくことができ、用紙格納または交換時以外に、モニターが不要に回転するのを確実に防ぐことができる。
【００６５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６６】
本発明に係る商品販売登録装置は、表示部が大型化した場合でも、用紙格納または交換を容易に行え、かつ、用紙格納または交換時以外では表示部が不要に大きな角度で回転しない。よって、例えば、コンビニエンスストア、ファーストフード店、スーパーマーケット、公共施設、病院等で使用される、ＰＯＳ端末装置やＥＣＲ等の商品販売登録装置に好適に適用することができる。
【符号の説明】
【００６７】
１      ＰＯＳ端末装置（商品販売登録装置）
２      モニター
３      本体部
４      プリンターカバー
５      狭範囲回転ユニット（狭範囲回転部）
７      広範囲回転ユニット（広範囲回転部）
１０    ロック解除用ボタン（解除部）
５１    狭範囲回転用天面アングル
５２    狭範囲回転用ベースアングル（第２固定部）
５３    回転アングル（第２回転部）
５４    ピン
５５    スプリング（制動部）
６０    ヒンジ
６１    ヒンジ支持アングル
７１    広範囲回転用天面アングル
７２    広範囲回転用ベースアングル（第１固定部）
７３    ベースキャビ（第１回転部）
７４    レバーアングル
７４ａ  回り止め用突起（回転停止部）
７５    広範囲回転用スプリング
【図１】
0005415294.tif 000002
【図２】
0005415294.tif 000003
【図３】
0005415294.tif 000004
【図４】
0005415294.tif 000005
【図５】
0005415294.tif 000006
【図６】
0005415294.tif 000007
【図７】
0005415294.tif 000008
【図８】
0005415294.tif 000009
【図９】
0005415294.tif 000010
【図１０】
0005415294.tif 000011